(57)【要約】      （修正有）【課題】車両加圧水素タンクを充填するための装置を提供する。【解決手段】液化ガス源（２）と、それぞれが液化ガス源にリンクされている上流端（３）を有する２本の並行移送ラインを備える移送回路と、充填されるタンク（２２）にそれぞれが取り外し可能に接続されるように意図されている少なくとも２つの別々の下流端（４）を備え、２本の移送ラインのそれぞれは、ポンプ（５）と、送り出される流体を蒸発させるためのユニット（６）と、蒸発ユニットをバイパスするためのブランチ（１３）と、送り出され、蒸発ユニットとバイパスブランチとの間で分配される流体の流れを制御するように構成されている分配弁（７、８）のセットとを備え、装置（１）は、バッファ貯蔵装置（９、１０）のセットをさらに備え、バッファ貯蔵装置は、弁のセットを介して２本の移送ラインのそれぞれに並行で接続される。【選択図】図１
2020051619.tif 000002
【特許請求の範囲】
【請求項１】
加圧ガスタンク、特に車両加圧水素タンクを充填するための充填装置であって、
前記充填装置は、
液化ガス源（２）と、
それぞれが前記液化ガス源（２）にリンクされている上流端（３）を有する２本の並行移送ラインを備える移送回路（３）とを備え、
各移送ラインは、充填されるべきタンク（２２）に取り外し可能に接続されるように意図されている下流端（４）を備え、
前記２本の並行移送ラインのそれぞれは、
ポンプ（５）と、
送り出される流体を蒸発させるための蒸発ユニット（６）と、
前記蒸発ユニット（６）をバイパスするためのバイパスブランチ（１３）と、
送り出され、前記蒸発ユニット（６）と前記バイパスブランチ（１３）との間で分配される流体の流れを制御するように構成されている分配弁（７、８）のセットとを備え、
前記充填装置（１）は、バッファ貯蔵装置（９、１０）のセットをさらに備え、前記バッファ貯蔵装置は、弁（１１〜１６）のセットを介して前記２本の並行移送ラインのそれぞれに並行に接続される、充填装置。
【請求項２】
前記バッファ貯蔵装置（９、１０）のセットは、前記蒸発ユニット（６）と、前記蒸発ユニット（６）を通過する流体および前記バイパスブランチ（１３）を通過する流体の間の混合のポイントとの間で各移送ラインに接続されることを特徴とする、請求項１に記載の充填装置。
【請求項３】
前記バッファ貯蔵装置（９、１０）のセットは、それぞれの膨張弁（１５、１６）を介して各移送ラインに接続されることを特徴とする、請求項１または２に記載の充填装置。
【請求項４】
各移送ラインの前記分配弁（７、８）のセットは、前記蒸発ユニット（６）の下流であり、前記バイパスブランチ（１３）を通過した前記流体との混合のポイントの上流に位置付けられている第１の分配弁（７）を備え、
前記分配弁（７、８）のセットは、前記バイパスブランチ（１３）中に第２の分配弁（８）を備えることを特徴とする、請求項１から３のうちのいずれか１項に記載の充填装置。
【請求項５】
前記バッファ貯蔵装置（９、１０）のセットは、各移送ラインに並行して接続されている２つ以上のバッファ貯蔵装置を備え、
各バッファ貯蔵装置（９、１０）は、それぞれの分離弁（１１、１２）を介して各移送ラインに接続されることを特徴とする、請求項１から４のうちのいずれか１項に記載の充填装置。
【請求項６】
前記移送回路（３）は、２つのポンプ（５）の出口に前記２本の並行移送ラインをリンクさせる接続ダクト（１７）を備え、
前記接続ダクト（１７）は、分離弁（１８）を備えることを特徴とする、請求項１から５のうちのいずれか１項に記載の充填装置。
【請求項７】
前記２本の並行移送ラインは、少なくとも１つの熱的に絶縁された部分（１９）を備えることを特徴とする、請求項１から６のうちのいずれか１項に記載の充填装置。
【請求項８】
前記２本の並行移送ラインは、圧力と温度それぞれを測定する、少なくとも１つの圧力センサ（２０）および／または少なくとも１つの温度センサ（２１）を、特に、前記下流端（４）に近接して備えることを特徴とする、請求項１から７のうちのいずれか１項に記載の充填装置。
【請求項９】
タンクに定められた充填勾配で充填することを確立するために、定められた温度で定められたガス流量により少なくとも１つの加圧ガスタンクを充填する方法であって、
前記方法は、請求項１〜８のうちのいずれか１項に従う充填装置を使用する、充填方法。
【請求項１０】
前記ガス流量は、可変であり、経時的に変更されることを特徴とする、請求項９に記載の充填方法。
【請求項１１】
充填動作の少なくとも一部分の間、特に、前記定められたガス流量が前記ポンプ（５）の最大流量よりも大きいとき、
前記タンクに移送される前記ガス流量は、第１の、前記ポンプ（５）によって提供され、前記蒸発ユニット（６）と前記バイパスブランチ（１３）との間で分配されるガス流量と、第２の、前記バッファ貯蔵装置（９、１０）のセットによって提供される追加のガス流量との合計であることを特徴とする、請求項９または１０に記載の充填方法。
【請求項１２】
充填動作の少なくとも一部分の間、特に、前記定められたガス流量が前記ポンプ（５）の最大流量よりも小さいか、又は等しいとき、
前記タンクに移送されるガス流量は、前記ポンプ（５）によって提供され、前記蒸発ユニット（６）と前記バイパスブランチ（１３）との間に分配されるガス流量のみから形成されることを特徴とする、請求項９から１１のうちのいずれか１項に記載の方法。
【請求項１３】
１本の移送ラインからもう１本の移送ラインにガス流を移送することにより、２本の移送ラインの前記ポンプ（５）によって提供されるガス流の合計を備えたガス流でタンクを充填するステップを含むことを特徴とする、請求項９から１２のうちのいずれか１項に記載の方法。
【請求項１４】
タンク（２２）の充填に先立って、又は、充填を開始するときに、移送ラインを冷却するステップを備えることを特徴とし、前記移送ラインは、前記蒸発ユニット（６）を通過する比較的高温のガスと、前記バイパスブランチ（１３）を通過する比較的低温のガスとの間の相対的な分配を管理することによって、場合によっては、これに加えて、前記バッファ貯蔵装置（９、１０）のセットから到来する比較的高温のガスの量を管理することによって制御される定められた温度でのガスの移送を含むものである、請求項９から１３のうちのいずれか１項に記載の方法。
【請求項１５】
前記移送ラインを冷却するステップは、前記蒸発ユニット（６）と前記バイパスブランチ（１３）との間の前記分配弁の開口を制御することによって、加えて、場合によっては、「開ループ」（「フィードフォワード」）タイプ制御にしたがって、および／または、前記移送ラインにおいて測定された温度に基づいた制御ループにしたがって、前記バッファ貯蔵装置（９、１０）のセットによって提供される追加のガス流量を制御することによって、実行されることを特徴とする、請求項１４に記載の方法。
【請求項１６】
前記移送ラインを冷却するステップは、冷却されるべき前記移送ライン中で制御される定められた温度で移送されるガスを回収するためのユニットに向けて、又はその外側に向けてフラッシングするステップを備えることを特徴とする、請求項１４または１５に記載の方法。
【発明の詳細な説明】
【技術分野】
【０００１】
本発明は、加圧ガスタンクを充填するための装置に関する。
【０００２】
より具体的には、本発明は、加圧ガスタンクを、具体的には、車両加圧水素タンクを充填するための装置に関し、本装置は、液化ガス源と、それぞれが液化ガス源にリンクされている上流端を有する２本の並行移送ラインを備える移送回路を備え、各移送ラインは、充填されるべきタンクに取り外し可能に接続されるように意図されている下流端を備えている。
【背景技術】
【０００３】
液体水素源を使用する水素ガス燃料補給ステーションは、既知である。これらの既知の装置は、充填の間、タンク中のガスの温度を過度に増加させることなく、急速な充填のために、事前に冷却された加圧ガスを生成するための液体水素からの冷気を使用することを可能にする。
【０００４】
例えば、ＵＳ５９３４０８１、または、Ｖ  Ｒａｍａｎ、Ｄ．Ｆａｒｅｓｅ、および、Ｊ  Ｈａｎｓｅｌによる「燃料セルバスのための急速充填水素燃料ステーション」（第１２回世界エネルギー会議  水素エネルギーの向上２  ｐ．１６２９−１６４２）を参照する。Ｄ．Ｅ．Ｄａｎｅｙ他による論文「水素車両燃料ステーション」（低温工学における進化  第４１巻、１９９６）も参照する。
【０００５】
これらの既知の配置は、設備の十分な性能もそのモジュール方式も保証することを可能にはしない。
【０００６】
本発明の目的は、上述した先行技術の不利益のうちのすべてまたはそのいくつかを克服することである。
【発明の概要】
【０００７】
この目的のために、本発明にしたがう、さらには、上記序文によって与えられた一般的定義にしたがう装置は、本質的に、２本の移送ラインのそれぞれが、ポンプと、送り出される流体を蒸発させるためのユニットと、蒸発ユニットをバイパスするためのブランチと、送り出され、蒸発ユニットとバイパスブランチとの間で分配される流体の流れを制御するように構成されている分配弁のセットとを備え、装置は、バッファ貯蔵装置のセットをさらに備え、バッファ貯蔵装置は、弁のセットを介して２本の移送ラインのそれぞれに並行で接続されることを特徴とする。
【０００８】
さらに、本発明の実施形態は、以下の特徴のうちの１つ以上を含むことができる：
−バッファ貯蔵装置のセットは、蒸発ユニットと、蒸発ユニットを通過する流体およびバイパスブランチを通過する流体の間の混合のポイントとの間で各移送ラインに接続される、
−バッファ貯蔵装置のセットは、それぞれの膨張弁を介して各移送ラインに接続される、
−各移送ラインの分配弁のセットは、蒸発ユニットの下流とバイパスブランチを通過する流体との混合のポイントの上流とに位置付けられている第１の分配弁を備え、分配弁のセットは、バイパスブランチ中に第２の分配弁を備える、
−バッファ貯蔵装置のセットは、各移送ラインに並行して接続されている２つ以上のバッファ貯蔵装置を備え、各バッファ貯蔵装置は、それぞれの分離弁を介して各移送ラインに接続される、
−移送回路は、２つのポンプの出口に２本の移送ラインをリンクさせる接続ダクトを備え、前記接続ダクトは、分離弁を備える、
−２本の移送ラインは、少なくとも１つの熱的に絶縁された部分を備える、
−２本の移送ラインは、特に、下流端に近接して、圧力と温度それぞれを測定する、少なくとも１つの圧力センサおよび／または少なくとも１つの温度センサを備える、
−充填動作の少なくとも一部分の間、特に、定められたガス流量がポンプの最大流量よりも小さいまたは等しいとき、
タンクに移送されるガス流量は、ポンプによって提供され、蒸発ユニットとバイパスブランチとの間で分配される、ガス流量だけから形成される、
−タンクを充填するために定められた流量は、０と１００ｇ／秒の間で、特に１０と６０ｇ／秒の間で可変である、
−ポンプは、可変スピードポンプであり、充填の間タンクに移送されるガス流量は、ポンプのスピードと、場合によってはバッファ貯蔵装置のセットによって提供されるガスの量とを制御することによって制御される、
−充填の間にタンクに移送される加圧ガス温度は、蒸発ユニットを通過する比較的高温のガスとバイパスブランチを通過する比較的低温のガスとの間の相対分配を、場合によっては、バッファ貯蔵装置のセットから到来する比較的高温のガスの量を管理することによって制御される、
−バッファ貯蔵装置のセットによって提供される追加のガス流量は、移送ラインの下流端で測定される圧力信号に応答して制御される、
−バッファ貯蔵装置のセットは、各移送ラインに並行して接続されているいくつかのバッファ貯蔵装置を備え、移送ラインにガスを提供するために、カスケードプロセスにしたがって連続して使用される。
【０００９】
本発明は、タンク中に充填決定勾配を確立するための定められた温度で定められたガス流量により少なくとも１つの加圧ガスタンクを充填する方法にも関し、方法は、上記のまたは以下の特徴のうちのいずれか１つにしたがう充填装置を使用する。
【００１０】
他の可能性のある特性にしたがうと：
−ガス流量は、可変であり、経時的に修正される、
−充填動作の少なくとも一部分の間、特に、定められたガス流量がポンプの最大流量よりも大きいとき、タンクに移送されるガス流量は、第１に、ポンプによって提供され、蒸発ユニットとバイパスブランチとの間で分配されるガス流量の、第２に、バッファ貯蔵装置のセットによって提供される追加のガス流量の、合計である、
−本方法は、１本の移送ラインからもう１本の移送ラインにガス流を移送することにより、２本の移送ラインのポンプによって提供されるガス流の合計を備えるガス流で、タンクを充填するステップを含む、
−本方法は、タンクを充填するより前に、または、充填することを開始するとき、蒸発ユニットを通過する比較的高温のガスとバイパスブランチを通過する比較的低温のガスとの間の相対分配を、場合によっては、バッファ貯蔵装置のセットから到来する比較的高温のガスの量を管理することによって制御される定められた温度でのガスの移送を備える前記移送ラインを冷却するステップを備える、
−前記移送ラインを冷却するステップは、蒸発ユニットとバイパスブランチとの間の分配弁の開口を、場合によっては、「開ループ」（「正方向送り」）タイプ制御にしたがって、および／または、移送ラインにおいて測定された温度に基づいた制御ループにしたがって、バッファ貯蔵装置のセットによって提供される追加のガス流量を制御することによって実行される、
−前記移送ラインを冷却するステップは、外側に向けて、または、冷却される移送ライン中で制御される定められた温度で移送されるガスを戻すためのユニットに向けて、流すステップを備える。
【００１１】
本発明は、特許請求の範囲内の上記または下記特徴の任意の組合せを備える任意の代替装置または方法に関することもできる。
【００１２】
他の特徴および利点は、図を参照して以下の説明を読むと明らかになるであろう。
【図面の簡単な説明】
【００１３】
【図１】図１は、本発明にしたがった例示的な装置の構造と動作例とを図示した概略および部分図を示している。
【図２】図２は、本発明にしたがった可能性ある充填の例にしたがった、パラメータの進展のグラフを示している。
【詳細な説明】
【００１４】
図１中に示されている加圧ガスタンク（特に、車両加圧ガス水素タンク）を充填するための装置１は、液化ガス源２を備えている。液化ガス源は、例えば、少なくとも真空断熱液化ガス貯蔵装置および／または液化ガス源（液化機または他の何らかの適切な装置）を備えている。
【００１５】
ガスが水素（Ｈ２）であるケースでは、簡略化のために、流体の状態は、習慣的に使用される用語「ガス」または「流体」によって表されるだろうが、後者は、流体の圧力に依存して、実際には超臨界流体になるであろうことに留意すべきである。
【００１６】
装置１は、２本の流体移送並行ラインを備える移送回路３を備えており、それぞれは、液化ガス源２から液化ガスを引くために、液化ガス源２にリンクされている上流端３を有している。各移送ラインは、（必要な場合、例えば、適切な急速コネクタおよびフラップが提供される柔軟部分を介して）充填されるタンク２２に取り外し可能にそれぞれが接続されるように意図される下流端４をそれぞれ有している。
【００１７】
図１の例は、２本の移送ラインを有しているが、２本より多くの移送ラインを有することができることに留意すべきである。
【００１８】
２本の移送ラインのそれぞれは、ポンプ５、送り出される流体を蒸発させるための蒸発ユニット６、蒸発ユニット６を選択的にバイパスするためのバイパスブランチ１３を備えている。
【００１９】
さらに、ラインそれぞれは、送り出され、蒸発ユニット６（流体が加熱され、蒸発し、したがって、比較的より高温であり、比較的高い圧力である）とバイパスブランチ１３（ポンプ５から出るとき、流体は実質的に熱力学的状態であり、したがって、比較的低温である）との間で分配される流体の流れを制御するように構成されている分配弁７、８のセットを備えている。
【００２０】
蒸発ユニット６の下流では、２つの並行な部分は、２つの比較的高温および低温の流体を混合するポイントで会う。
【００２１】
各移送ラインの分配弁７、８のセットは、例えば、好ましくは蒸発ユニット６の下流と、バイパスブランチ１３を通過する流体との混合のポイントの上流に位置付けられている第１の分配弁７を備えている。分配弁７、８のセットは、バイパスブランチ１３中（混合のポイントの上流）に第２の分配弁８をさらに備えることができる。
【００２２】
もちろん、他の何らかの分配システムを、特に、３方向弁システムを想定できる。
【００２３】
分配弁７は、加熱ユニット６の下流と混合のポイントの上流に位置付けられていることから、これは、周囲温度（非低温）で作動する弁を使用することを可能にし、これは、比較的低い流量を管理する。これは、設備の信頼性を増加させ、そのコストを限定する。
【００２４】
回路は、各移送ラインにおいて、好ましくは、ポンプ５の出口と蒸発およびバイパスブランチの前との間に位置付けられている上流弁２３も備えている。
【００２５】
従来、充填器の出口（端４）の流体の温度を、例えば、特に−３３℃と−４０℃との間で定められた温度に維持するために、この混合を介して、制御することもできる。
【００２６】
これは、後者で加熱することを制限している間、タンク２２を充填するために提供される定められた圧力および温度でガス流を得ることを可能にする。
【００２７】
蒸発ユニット６は、例えば、加熱源（空気または別の加熱要素）で液体水素の熱交換を提供する交換器を加熱する加熱器である。
【００２８】
装置１は、それぞれの弁１１−１６のセットを介して、移送ラインのそれぞれに並行して接続されている１つ以上の加圧ガスバッファ貯蔵装置９、１０をさらに備えている。
【００２９】
各移送ラインに対して（タンク２２を充填するための各移送ラインに対して）ポンプ５を提供するこの構成は、既知のシステムに関して多くの利点を有している。これは、ステーションの完全なモジュール方式（いくつかの可能な同時の充填動作、別のラインの性能に影響を及ぼすことなく、移送ラインを追加または除去する可能性等）を可能にする。
【００３０】
さらに、この解決法は、装置の性能を向上させる。実際に、この配置にしたがうと、移送ラインのそれぞれのポンプ５は、したがって、特に、低い圧力で、より良い容量とエネルギー効率を有する。
【００３１】
実際に、移送ライン毎の専用の１つのポンプ５（「ディスペンサー」）は、性能損失、ポンプ５の損耗、ジュールトムソン膨張損失を限定させることにより、充填されるタンク２２によって必要とされる圧力で水素を提供することを可能にする。
【００３２】
したがって、（単一のポンプが直接バッファ貯蔵装置に接続され、いくつかの移送ラインに対して使用されるとき、７００と９００バールとの間の範囲の代わりに）２００バールと９００バールとの間の比較的低い圧力でその最良のエネルギーおよび容量効率を提供する使用のエリアで、各ポンプ５を完全に使用することができる。本発明によって可能にされるこのような低圧動作は、ポンプのエネルギー消費を５０％も低減させることが可能である。
【００３３】
図１中に図示しているように、バッファ貯蔵装置９、１０は、好ましくは、蒸発ユニット６と、蒸発ユニット６を通過する流体およびバイパスブランチ１３を通過する流体の間の混合ポイントとの間の各移送ラインに接続されている。
【００３４】
例えば、バッファ貯蔵装置９、１０は、それぞれの膨張弁１５、１６を介して各移送ラインに並行で接続されることができる。さらに、各バッファ貯蔵装置９、１０は、貯蔵装置９、１０の入口／出口と各膨張弁１５、１６との間に位置付けられているそれぞれの分離弁１１、１２を備えることができる。
【００３５】
各ディスペンサ移送ラインに対して離されるこれらの貯蔵装置分離弁１１、１２、２５、１４は、移送ラインを独立して保持している間、バッファ貯蔵装置を共有することを可能にする。
【００３６】
図１中に示すように、移送回路３は、ポンプ５の出口において２本（またはそれ以上）の移送ラインをリンクする少なくとも1つの接続ダクト１７を有利に備えることができる。接続ダクト１７は、例えば、分離弁１８を備えている。この接続ダクトとその弁１８は、適用可能な場合、必要とされるとき（例えば、大きなタンクに充填するときおよび／またはポンプが故障したとき）、送り出される流れを共有（追加）することを可能にする。
【００３７】
図１中のダイヤグラムに示すように、各移送ラインの少なくとも一部分１９は、熱的に絶縁されることができる（必ずしも真空下および／または冷却下でない）。さらに、各ラインは、特に、タンク２２に接続するために下流端に近接して、そこの圧力／温度を測定する、少なくとも１つの圧力センサ２０および／または少なくとも１つの温度センサ２１を備えることができる。
【００３８】
弁のすべてまたはそのいくつかは、例えば、データ獲得、保管、および、処理システムが設けられた、マイクロプロセッサおよび／またはコンピュータを備える電子制御装置２４によって管理される弁であることがある。データを獲得し、これらのユニットを制御して管理するために、制御装置２４は、センサ、および、装置のさまざまな他のユニット（特にポンプ５）にリンクされることができる。
【００３９】
図２中に図示したように、限定しない例として、タンクの充填は、好ましくは、（事前に）規定された勾配充填にしたがって生成される。例えば、ポンプ５と弁のセットは、例えば、主に線形で、タンク中の定められた圧力増加スピード（Ｐ２２＝タンク中の圧力）を提供するように管理される。例えば、移送ダクト４で測定される（そしてタンク２２中の圧力Ｐ２２を表す）圧力Ｐ４は、経時的に線形で増加するように制御される。これは、経時的Ｔに容器２２中の量Ｍ２２を制御することによって取得でき、したがって、ガスの流量Ｑは経時的に移送される。この流量は、充填状況（量、タンクの容量、温度等）にしたがって規定される。
【００４０】
必要とされるガス流量の移送は、ポンプ５によって提供されることができ、場合によっては、バッファ貯蔵装置９、１０によって提供される追加のガス流量によって捕足されることができる。
【００４１】
通常の充填ケースでは、タンクは、例えば、充填プロトコルによって規定された充填勾配にしたがって、数分（例えば、３分）後に１５℃の周囲温度で、水素の５〜７ｋｇで充填されなければならない。
【００４２】
例えば、充填の開始において、ポンプ５は、単独で車両を充填するために必要な流量を提供するのに十分であることができる。圧力勾配に依存して、この流量は、充填の開始からの０から、ポンプの最大流量まで増加する。
【００４３】
圧力勾配は、例えば、ポンプ５のスピードを変調することによって、管理（取得）される。ポンプ５によって提供される圧力は、充填されるタンク２２によって移送ラインの端で必要とされる圧力である。この圧力は、タンク２２の初期圧力に応じて、典型的におおよそ５０から３００バールであることができる。
【００４４】
水素は、加熱された蒸発ユニット６を介して通過する一方で、ポンプ５からその出口温度で極低温水素をバイパスブランチ１３が移送することを可能にする。
【００４５】
下流端４でターゲットガス温度に達するために、２つの弁７、８の開口は、適切な分配に達するように管理されることができる。
【００４６】
ラインが高温すぎる（測定される温度２１がターゲット温度を上回る）場合、特に、「高温」側の弁７は、完全に閉じられることができ、「低温」側の弁８は、例えば、ラインを冷却するための１００％低温の流量を可能にするために、完全に開かれることができる。
【００４７】
ラインが低温すぎる場合、低温流量／高温流量の比は、例えば、ポンプ５のおよび／または周囲温度の性能に応じて、３０％と５０％の間で弁７、８によって調整されることができる。
【００４８】
タンク２２が充填されると、充填流量は、増加することができ、特に、ポンプ５の容積を超えることがある。
【００４９】
制御装置は、ターゲット圧力に関してラインにおける圧力の欠如を検出すること２０ができ、これを克服するために、バッファ貯蔵装置の弁１１、１５を開くことができる。
【００５０】
これは、ポンプの流量の制御を意味し、バッファ貯蔵装置によって提供される流量は、（特に、下流端における）移送ラインで測定される圧力セットポイントを提供するために制御されることができる。
【００５１】
この構成において、ポンプ５は、その最大流量（最大スピード）になることができ、圧力勾配は、膨張弁１５によって管理される。
【００５２】
（移送ラインにおける圧力のような）ポンプ５によって提供される圧力は、充填限界圧（例えば、７００から８５０バール）に達するまで増加する。適用可能な場合、貯蔵装置９、１０は、カスケードとして使用されることができる（貯蔵装置に関係付けられている弁１１、１２；２５、１４は、１つの貯蔵装置からもう１つへの切り替えを可能にする）。
【００５３】
バッファ貯蔵装置９、１０によって提供される水素は、対応する弁１５、１６で膨張した後、ポンプ５から到来する流量と合わさる。弁７、８は、提供されるガスの温度を常に制御する。
【００５４】
この第２の充填段階で提供される流量は、より大きく、例えば、おおよそ２５−４５ｇ／ｓであり、例えば、ピークに６０ｇ／ｓに達することができる。
【００５５】
バッファ貯蔵装置９、１０によって提供される高温ガス流量はまた、可変であり、大きく、ポンプ５によって提供される低温ガスと高温ガスとの間の比は、充填の開始の間よりも大きい。この比は、充填総流量に依存して、例えば、３０％と１００％の間で変化することができる。
【００５６】
充填が終了したとき、貯蔵装置９、１０をその公称圧力まで充填するためにポンプ５を使用できる。送り出される水素のすべては、貯蔵圧力（中間圧力バッファ貯蔵装置に対して４００−５００バール、高圧力バッファ貯蔵装置に対して７００−１０００バール）まで加熱できる。
【００５７】
あるケースでは、充填は、低い流量のみを必要とし、これは、ポンプ５によって完全に提供されるように十分低い（例えば、４ｋｇの水素より少ない容積を有する小さなタンク）。周囲温度が（極めて）高い、例えば、３０℃または４０℃を上回るとき、低流量充填を提供することもできる。
【００５８】
このケースでは、膨張弁１５、１６は、充填の間、閉じたままであることができる。圧力勾配は、ポンプ５のスピードによって完全に管理できる。低温流量／高温流量の比は、対応する弁７、８によって調整され、上記で説明したようにラインを冷却することを除き、例えば、３０％と５０％の間で変化することができる。
【００５９】
（１０ｋｇの水素より多くを貯蔵するバスタンクのような）大きなタンク２２を充填するのに必要とされる高い流量のケースでは、必要とされる流量と必要な冷却力は、比較的大きい。このような急速な充填は、移送ラインにおいて高充填流量を提供することにより、常に可能である。これは、２つのポンプ５を使用し、適切な弁を制御し、特に、接続ダクト１７の弁１８を開くことによって達成できる。
【００６０】
したがって、このレイアウトは、移送ラインの容積を倍にし、ステーション１に使用の際の柔軟性を提供する。
【００６１】
上記で述べたように、この配置は、移送ラインの効果的な冷却も可能にする。
【００６２】
実際に、長期にわたる待機時間の後、移送ラインを加熱できる。冷却は、先行技術からのステーション上で問題をもたらすことがある。
【００６３】
提案した構成にしたがうと、移送ラインは、いくつかの方法で容易に冷却できる。
【００６４】
例えば、充填のまさに開始において、低温流体をタンク２２に移送することにより、いわゆる「直接」冷却を使用して、ラインを冷却できる。実際に、充填の開始において、公差時間ウインドウ（おおよそ３０秒であることが多い）があることがあり、その間、タンク２２は、十分に冷却されていない（ターゲット温度を上回る）ガスで充填されることがある。移送ラインが十分に短い（例えば、３０または２０メートル未満）場合、ポンプ５の出口における極低温水素は、公差ウインドウ（tolerance window）の間ラインを冷却した後、タンク２２に直接送られることができる。
【００６５】
ラインの温度の温度制御は、開ループ（「フィードフォワード」）タイプの補正を使用して、または、ラインの測定された温度２１（例えば、ライン中のガスの温度）に応じて「カスケードで」達成することができる。これは、特に、弁７、８に対する開口セットポイントが、自動的に下流で測定された温度の値に制御されるまたは強いられることを意味する。
【００６６】
別の可能性ある冷却モード（「いわゆる低温フラッシング」）にしたがうと、ラインがタンク２２を充填するために使用されない専用冷却ガス流によって冷却されることができる。
【００６７】
実際に、「直接冷却」は、より長い移送ラインに対して不十分であることが判明することがある。その後、フラッシングラインを追加することが予想できる。したがって、タンク２２を充填する前に、ラインは、ポンプ５によって提供され、（簡略化のために示していない）フラッシングラインによってバッファ貯蔵装置９、１０に送り戻される低温水素で流されることができる。
【００６８】
このフラッシング段階は、いったんタンクが移送ラインの下流端に接続されると、実際の充填の前にユーザがインタフェースを動作する間、実行されることができる。これは、クライアント／ユーザ／車両の到着を検出することによって、前もって実行されることすらできる。このフラッシング段階は、ラインの長さと周囲温度に依存して、数十秒必要とすることがある。
【図１】
2020051619.tif 000003
【図２】
2020051619.tif 000004
【外国語明細書】
2020051619000001.pdf